(57)【特許請求の範囲】
【請求項１】
ベルトを有する搬送機構と、
剥離面を有する剥離シートを前記ベルト上に供給する剥離シート供給部と、
前記ベルトに沿って形成されるとともに、前記剥離シート供給部の下流側に設けられ、前記剥離シート上に熱可塑性樹脂を転写して樹脂シート部を形成する複数の樹脂シート転写器と、
前記樹脂シート部を加熱し、前記熱可塑性樹脂を前記剥離シート上に定着して樹脂シートとする定着器とを備え、
前記複数の樹脂シート転写器は、前記剥離シート上の第１領域に前記熱可塑性樹脂を転写する第１転写器と、前記剥離シート上の前記第１領域内であって該第１領域に重なる転写領域と前記第１領域内であって該第１領域に重ならない非転写領域を有する第２領域に前記熱可塑性樹脂を転写する第２転写器とを備えることを特徴とする樹脂シート製造装置。
【請求項２】
前記熱可塑性樹脂は、熱可塑性トナーであることを特徴とする請求項１に記載の樹脂シート製造装置。
【請求項３】
前記樹脂シートは、前記転写領域と非転写領域に基づいて実質的に厚さが異なり、透かし画像または浮き彫り画像として視認されるよう構成されることを特徴とする請求項１または２に記載の樹脂シート製造装置。
【請求項４】
ベルトを有する搬送機構と、
前記ベルトに沿って形成されるとともに、前記ベルト上に熱可塑性樹脂を転写して樹脂シート部を形成する複数の樹脂シート転写器と、
前記樹脂シート部を加熱した後、前記熱可塑性樹脂を硬化させて樹脂シートとする定着器とを備え、
前記複数の樹脂シート転写器は、前記ベルト上の第１領域に前記熱可塑性樹脂を転写する第１転写器と、前記ベルト上の前記第１領域内であって該第１領域に重なる転写領域と前記第１領域内であって該第１領域に重ならない非転写領域を有する第２領域に前記熱可塑性樹脂を転写する第２転写器とを備えることを特徴とする樹脂シート製造装置。
【請求項５】
前記熱可塑性樹脂は、熱可塑性トナーであることを特徴とする請求項４に記載の樹脂シート製造装置。
【請求項６】
前記樹脂シートは、前記転写領域と非転写領域に基づいて実質的に厚さが異なり、透かし画像または浮き彫り画像として視認されるよう構成されることを特徴とする請求項４または５に記載の樹脂シート製造装置。
【請求項７】
搬送機構により搬送されるベルト上に剥離シートを供給し、
前記剥離シート上の第１領域に熱可塑性樹脂を転写し、
前記剥離シート上の前記第１領域内であって該第１領域に重なる転写領域と前記第１領域内であって該第１領域に重ならない非転写領域を有する第２領域に前記熱可塑性樹脂を転写して樹脂シート部を形成し、
前記樹脂シート部を加熱し、前記熱可塑性樹脂を前記剥離シート上に定着して樹脂シートとすることを特徴とする樹脂シート製造方法。
【請求項８】
前記熱可塑性樹脂は、熱可塑性トナーであることを特徴とする請求項７に記載の樹脂シート製造方法。
【請求項９】
前記樹脂シートは、前記転写領域と非転写領域に基づいて実質的に厚さが異なり、透かし画像または浮き彫り画像として視認されるよう構成されることを特徴とする請求項７または８に記載の樹脂シート製造方法。
【請求項１０】
搬送機構により搬送されるベルト上の第１領域に熱可塑性樹脂を転写し、
前記ベルト上の前記第１領域内であって該第１領域に重なる転写領域と前記第１領域内であって該第１領域に重ならない非転写領域を有する第２領域に前記熱可塑性樹脂を転写して樹脂シート部を形成し、
前記樹脂シート部を加熱した後、前記熱可塑性樹脂を硬化させて樹脂シートとすることを特徴とする樹脂シート製造方法。
【請求項１１】
前記熱可塑性樹脂は、熱可塑性トナーであることを特徴とする請求項１０に記載の樹脂シート製造方法。
【請求項１２】
前記樹脂シートは、前記転写領域と非転写領域に基づいて実質的に厚さが異なり、透かし画像または浮き彫り画像として視認されるよう構成されることを特徴とする請求項１０または１１に記載の樹脂シート製造方法。
【発明の詳細な説明】
【技術分野】
【０００１】
本発明は、樹脂シート製造装置及び樹脂シート製造方法に関し、特に刃型を用いることなく、任意の形状の樹脂シートを低コストで製造する技術に関する。
【背景技術】
【０００２】
従来、絵柄が印刷された樹脂シートの製造方法がある。この樹脂シートの製造方法は、大型のシートに絵柄を印刷して、刃型でシートを任意の形にカットする方法が一般的に行われている。このカットの形式には、１種類の樹脂シートを作成するために絵柄を印刷するための版と絵柄に従ってラベルを切り抜く刃型の両方を作成している。
【０００３】
なお、裏面に粘着剤が塗布されたラベルの場合には、刃型を作らずに、トナーを用いる電子写真方式の画像形成装置を用い、粘着剤付き剥離シートの上にラベル基材、ラベル画像、シール材を順次形成して、任意形状のラベルを所望のタイミングで作成するラベル作成方法及び装置が提案されている。なお、ラベル基材用のトナーの主成分としてポリビニルアセタール樹脂を使用している（例えば、特許文献１参照。）。
【０００４】
また、ラベルの構成樹脂としてＵＶ硬化性ポリエステルを使用する例も開示されている（例えば、特許文献２参照）。
【０００５】
さらに、トナーを用いる電子写真方式の画像形成装置を用い、十分な厚みのラベルを形成するラベル作成方法及び装置が提案されている（例えば、特許文献３参照）。
【先行技術文献】
【特許文献】
【０００６】
【特許文献１】特開２００７−２８３７４５号公報
【特許文献２】特開２０１０−１８４４７０号公報
【特許文献３】特開２０１１−１０７４１８号公報
【発明の概要】
【発明が解決しようとする課題】
【０００７】
上述した樹脂シート製造方法では、次のような問題があった。すなわち、樹脂シートを大量に作成する場合には、これといった支障はないが、作成する樹脂シートの数量が少量の場合には、元来、絵柄を印刷する版と絵柄をカットする刃型の制作費用が高いため、結果的に樹脂シートの単価が高くなってしまうという問題がある。
【０００８】
そこで本発明は、刃型を用いることなく、任意の形状の樹脂シートを低コストで製造することができる樹脂シート製造装置及び樹脂シート製造方法を提供することを目的としている。
【課題を解決するための手段】
【０００９】
前記課題を解決し目的を達成するために、本発明の樹脂シート製造装置及び樹脂シート製造方法は次のように構成されている。
【００１０】
本発明の第１の態様は、ベルトを有する搬送機構と、剥離面を有する剥離シートを前記ベルト上に供給する剥離シート供給部と、前記ベルトに沿って形成されるとともに、前記剥離シート供給部の下流側に設けられ、前記剥離シート上に熱可塑性樹脂を転写して樹脂シート部を形成する複数の樹脂シート転写器と、前記樹脂シート部を加熱し、前記熱可塑性樹脂を前記剥離シート上に定着して樹脂シートとする定着器とを備え、前記複数の樹脂シート転写器は、前記剥離シート上の第１領域に前記熱可塑性樹脂を転写する第１転写器と、前記剥離シート上の前記第１領域内であって該第１領域に重なる転写領域と前記第１領域内であって該第１領域に重ならない非転写領域を有する第２領域に前記熱可塑性樹脂を転写する第２転写器とを備えることを特徴とする。
【００１１】
本発明の第２の態様は、ベルトを有する搬送機構と、前記ベルトに沿って形成されるとともに、前記ベルト上に熱可塑性樹脂を転写して樹脂シート部を形成する複数の樹脂シート転写器と、前記樹脂シート部を加熱した後、前記熱可塑性樹脂を硬化させて樹脂シートとする定着器とを備え、前記複数の樹脂シート転写器は、前記ベルト上の第１領域に前記熱可塑性樹脂を転写する第１転写器と、前記ベルト上の前記第１領域内であって該第１領域に重なる転写領域と前記第１領域内であって該第１領域に重ならない非転写領域を有する第２領域に前記熱可塑性樹脂を転写する第２転写器とを備えることを特徴とする。
【００１２】
本発明の第３の態様は、搬送機構により搬送されるベルト上に剥離シートを供給し、前記剥離シート上の第１領域に熱可塑性樹脂を転写し、前記剥離シート上の前記第１領域内であって該第１領域に重なる転写領域と前記第１領域内であって該第１領域に重ならない非転写領域を有する第２領域に前記熱可塑性樹脂を転写して樹脂シート部を形成し、前記樹脂シート部を加熱し、前記熱可塑性樹脂を前記剥離シート上に定着して樹脂シートとすることを特徴とする。
【００１３】
本発明の第４の態様は、搬送機構により搬送されるベルト上の第１領域に熱可塑性樹脂を転写し、前記ベルト上の前記第１領域内であって該第１領域に重なる転写領域と前記第１領域内であって該第１領域に重ならない非転写領域を有する第２領域に前記熱可塑性樹脂を転写して樹脂シート部を形成し、前記樹脂シート部を加熱した後、前記熱可塑性樹脂を硬化させて樹脂シートとすることを特徴とする。
【００１４】
前記熱可塑性樹脂は、熱可塑性トナーであることを特徴とする。また、前記樹脂シートは、前記転写領域と非転写領域に基づいて実質的に厚さが異なり、透かし画像または浮き彫り画像として視認されるよう構成されることを特徴とする。
【発明の効果】
【００１５】
本発明によれば、刃型を用いることなく、任意の形状の樹脂シートを低コストで製造することが可能となる。
【図面の簡単な説明】
【００１６】
【図１】本発明の一実施の形態に係る樹脂シート製造装置の内部構造を示す説明図。
【図２Ａ】同樹脂シート製造装置における樹脂シート製造工程を示す説明図。
【図２Ｂ】同樹脂シート製造工程を示す説明図。
【図２Ｃ】同樹脂シート製造工程を示す説明図。
【図２Ｄ】同樹脂シート製造工程を示す説明図。
【図２Ｅ】同樹脂シート製造工程を示す説明図。
【図２Ｆ】同樹脂シート製造工程を示す説明図。
【図３Ａ】同樹脂シート製造装置による形成された樹脂シートの一例を示す平面図。
【図３Ｂ】同樹脂シートの使用例を示す斜視図。
【図４Ａ】同樹脂シート製造装置による形成された樹脂シートの別の例を示す平面図。
【図４Ｂ】同樹脂シートの使用例を示す斜視図。
【発明を実施するための形態】
【００１７】
図１は本発明の一実施の形態に係る樹脂シート製造装置１の内部構造を示す説明図、図２Ａ〜図２Ｆは樹脂シート製造装置１における樹脂シート製造工程を示す説明図である。なお、以下の説明中Ｓは樹脂シート、Ｐは剥離シート、Ｔ１は樹脂シートＳの材料となる熱可塑性樹脂としてのトナー、Ｔ２は印字用の黒色粉体からなるトナーを示している。剥離シートＰは、表面エネルギが低く剥離性が良好なものを用い、粘着剤を介さず、樹脂シートＳを形成する。
【００１８】
トナーＴ１に用いられる熱可塑性樹脂粉体としては、例えば、三菱化学株式会社製ポリブチレンサクシネート系樹脂「ＧＳ  Ｐｌａ＠」を使用し、これを粉砕し７５μｍフィルターパス粒径品に帯電制御剤、流動性制御剤等の外添処理を施しトナー化している。説明の便宜上、トナーＴ１、Ｔ２に共通する事項はトナーＴとして説明する。
【００１９】
樹脂シート製造装置１は、その表面に樹脂シートＳが形成される剥離紙シートＰを供給する剥離シート供給部１０と、剥離シートＰを搬送する搬送機構２０と、後述する転写ベルト２２の上方に、転写ベルト２２の搬送方向に沿って４台が配置され、剥離シートＰ上にトナーＴを転写する作像ユニット３０（３０Ａ，３０Ｂ，３０Ｃ，３０Ｄ）と、転写ベルト２２の搬送方向の下流側に位置し、トナーＴが転写された剥離シートＰを熱プレスし、トナーＴを剥離シートＰ上に固着する定着器４０とを備えている。
【００２０】
搬送機構２０は、複数の駆動ローラ２１と、これら駆動ローラ２１及び後述する転写ローラ３７に掛け渡された転写ベルト（無端ベルト）２２とを備えている。
【００２１】
作像ユニット３０は、表面に感光体が形成された感光体ドラム（樹脂シート転写器）３１と、感光体ドラム３１の周面を周方向に取り囲んで配置されたドクターシート３２、帯電ローラ３３、ＬＥＤヘッドからなる露光ヘッド３４、現像ローラ３５と、トナーＴが充填される共に、現像ローラ３５に供給するトナータンク３６と、転写ベルト２２の下面側に位置し、感光体ドラム３１とで剥離シートＰを挟み、剥離シートＰ上にトナーを転写する転写ローラ３７とを備えている。
【００２２】
なお、ドクターシート３２は、トナーの種類によって素材を選択する。具体的には、トナーＴ１の場合は、トナーＴ１が付着しにくい、形状変化が小さい等の理由からポリイミド樹脂シートを用いた。取り付け方法を改善し、波うち等が生じないようにすることで、フッ素系樹脂シート等を使用してもよい。また、トナーＴ２の場合は、ステンレス板金を用いる。
【００２３】
定着器４０は、一対の定着ローラ４１，４２と、上側の定着ローラ４１に当接するオイル塗布ローラ４３とを備えている。
【００２４】
このように構成された樹脂シート製造装置１では、次のようにして樹脂シートＳを製造する。なお、予め樹脂シートＳの形状や印刷文字等のデータは、ＰＣ等により作成し、樹脂シート製造装置１に入力する。
【００２５】
上流側に位置する作像ユニット３０Ａに剥離シートＰが供給される。感光体ドラム３１を図１中矢印方向（時計回り）に回転させる。図２Ａに示すように、帯電ローラ３３により、感光体ドラム３１の感光体を帯電させる。次に、図２Ｂに示すように、露光ヘッド３４で帯電ローラ３３表面上に光を投影し、任意形状のパターンを露光し非露光部と表面電位差を有する潜像Ｘを規定する。
【００２６】
次に、図２Ｃに示すように、現像ローラ３５表面に現像ローラ３５の回転により、攪拌されつつトナータンク３６から供給されるトナーＴ１を付着する。
【００２７】
攪拌により静電気を帯びたトナーＴ１は、現像ローラ３５から感光体ドラム３１上の潜像Ｘに付着し、現像層Ｙが形成される。その後、現像層Ｙの回転移動に同期して剥離紙Ｐが給紙され、転写ローラ３７と接する位置に現像層Ｙと剥離シートＰが重なって進入する。
【００２８】
感光体ドラム３１と転写ローラ３７とで剥離シートＰを押圧し、転写ローラ３７に印加されたトナー吸着電位により現像層Ｙは剥離シートＰに転写する。転写後は、感光体ドラム３１の表面はドクターシート３２により余分なトナーＴが落とされる。作像ユニット３０は、上述した帯電から余分なトナーＴを落とすまでの工程を繰り返し行うことで、剥離シートＰ上にトナーＴを現像層Ｙとして転写する。
【００２９】
同様の動作を、作像ユニット３０Ｂ，３０ＣでもトナーＴ１を付着させ、所定の厚みを有する樹脂シートＳを形成する。なお、作像ユニット３０ＤではトナーＴ２によって、必要な文字等を印刷する。
【００３０】
最後に、図２Ｅに示すように、定着器４０に現像層Ｙと剥離シートＰを通し、加熱・加圧により現像層Ｙを形成するトナーＴ１，Ｔ２を融着・固結させて剥離シートＰに定着させる。このようにして樹脂シートＳを形成する。樹脂シート製造装置１により形成される樹脂シートＳは、剥離シートＰに付着した状態であるが、定着時に、現像層Ｙ上面に接触する定着ローラ４１の表面エネルギは、剥離シートＰの表面エネルギ以下とすることで、粘着剤が無くても、定着後に樹脂シートＳが剥離シートＰから剥がれずに排出される。一方、樹脂シートＳは、剥離シートＰから容易に剥離でき、任意形状のフィルムが形成できる。
【００３１】
なお、オイル塗布ローラ４３は、次のような理由で用いられている。すなわち、剥離シートＰは、表面エネルギが小さく現像層Ｙが付きにくいため、通常の電子写真プリンタ等でこの剥離シートＰ上に現像層Ｙを形成した場合には、現像層Ｙが定着ローラ４１に付着してしまい、剥離シートＰから剥離してしまう（オフセット）ことがある。このため、定着ローラ４１にオイル塗布ローラ４３を当接させ、定着ローラ４１の表面エネルギを低下させる処置を施し、オフセットを改善している。なお、オイルとしては、シリコンオイル等が好ましい。
【００３２】
この他、定着ローラ４１の表面をフッ素系樹脂で構成する等により、オイルレスでオフセット現象防止は可能である。防止可能条件としては、定着ローラ４１の表面エネルギを、使用する剥離Ｐシートの表面エネルギと同等かそれ以下に設定しておけばよく、そうすることで、静電吸着力で剥離シートＰに吸着している現像層Ｙは、オフセットしなくなる。
【００３３】
なお、上述した樹脂シート製造装置１では、複数の作像ユニット３０をタンデム方式で並設することで、現像層Ｙを重ね転写しているが、ドクターシート３２の当接条件や、感光体ドラム３１と現像ローラ３５の線速差等の設定により、単独の作像ユニット３０での現像層Ｙの層厚は変えることができる。また、１基の作像ユニット３０で形成される現像層Ｙから形成された樹脂シートＳの層厚が約３０μｍの場合、現像層Ｙを３層重ねした樹脂シートＳの層厚は６０〜７０μｍとなり、実用的な引き裂き強度を有する。
【００３４】
なお、樹脂シートＳの形成時のパターン印刷は全ポジションでディザ無しソリッド印刷できるようにしており、各ポジション１００％ソリッド印刷時に、４連で最大４００％印字率の層形成が可能なように改造している。上記、単層で３０μｍ、３層重ねで６０〜７０μｍというのは、それぞれ１００％ソリッド印刷の場合と３００％ソリッド印刷での層厚ということである。単層の層厚の割に３層形成フィルムの層厚が薄いが、重量ではほぼ３倍となっているため、層密度に違いが出ることになる。
【００３５】
このように製造された樹脂シートＳについて説明する。図３Ａ及び図３Ｂは、樹脂シートＳで形成された商品タグ１００を示している。商品タグ１００は、本体１１０と突出部１２０から構成されている。本体１１０には、文字１１１と、開口部１１２が形成されている。突出部１２０には、係合部１２１が形成されている。係合部１２１を開口部１１２に差し込んで、係合させることで、商品に巻きつけることができる。
【００３６】
なお、開口部１１２は、作像ユニット３０によりトナーＴ１を形成しないことで空き部分を形成することができる。また、文字１１１の部分は、作像ユニット３０Ａのみ動作させ、１層のトナーＴ１で形成することで透かし文字として形成している。
【００３７】
図４Ａ及び図４Ｂは、樹脂シートＳで形成されたボトル商品オーナメント２００を示している。ボトル商品オーナメント２００は、本体２１０を有し、本体２１０に形成された開口部２１１と、文字２１２とを有している。開口部２１１を瓶Ｋ等に付けることができる。なお、文字２１２の部分は、作像ユニット３０Ｄにより、トナーＴ２で印字することで形成している。
【００３８】
上述したように、本発明によれば、ＰＣ等で入力したデータ通りにトナーＴを付着させることができるため、任意の形状の樹脂シートＳを形成することができ、しかも刃型が必要ないため、低コストで製造することが可能となる。
【００３９】
また、樹脂シートＳを大きなシートから必要な形状を刃型で抜いたり、切り出す必要が無いため、必要形状以外の部分の樹脂材が無駄にならない。
【００４０】
上述した実施の形態では、台紙として剥離シートＰを用いたが、剥離シートＰを用いずに、直接転写ベルト２２上に現像層Ｙを形成し、この現像層Ｙを定着器４０に通すことで、固着するようにしてもよい。このような場合でも上述した樹脂シート製造装置１と同様の効果を得ることができる。
【００４１】
なお、本発明は前記実施の形態に限定されるものではない。例えば、上述した実施の形態では、作像ユニットをタンデムで配置してフィルム層厚を確保するという手段を取っているが、１基の作像ユニットにて十分な層厚が得られるのであれば、フィルム形成用作像ユニットを１基として、装置を小型化することも可能である。また、フィルム形成用作像ユニットと、ＣＭＹＫ印字用作像ユニット４基をタンデムで配置することによりフルカラー印字されたフィルムを形成するようにしてもよい。この他、本発明の要旨を逸脱しない範囲で種々変形実施可能であるのは勿論である。
【００４２】
本発明のいくつかの実施形態を説明したが、本発明は特許請求の範囲に記載された発明
とその均等の範囲に含まれる。以下に、本願出願の当初の特許請求の範囲に記載された発
明を付記する。
【００４３】
［付記１］
ベルトを有する搬送機構と、前記ベルトに沿って形成され、剥離面を有する剥離シートを前記ベルト上に供給する剥離シート供給部と、前記ベルトに沿って形成されるとともに、前記剥離シート供給部の下流側に設けられ、前記剥離シート上に熱可塑性樹脂を転写して樹脂シートを形成する樹脂シート転写器と、前記樹脂シートを加熱し、前記熱可塑性樹脂を前記剥離シート上に定着する定着器とを備えることを特徴とする樹脂シート製造装置。
【００４４】
［付記２］
前記熱可塑性樹脂は、熱可塑性トナーであることを特徴とする付記１に記載の樹脂シート製造装置。
【００４５】
［付記３］
前記定着器は、前記樹脂シートに対向する定着ローラを有し、前記定着ローラには、前記定着ローラにオイルを供給するオイル塗布部が設けられていることを特徴とする付記１または２に記載の樹脂シート製造装置。
【００４６】
［付記４］
ベルトを有する搬送機構と、前記ベルトに沿って形成されるとともに、前記ベルト上に熱可塑性樹脂を転写して樹脂シートを形成する樹脂シート転写器と、前記樹脂シートを加熱し、前記熱可塑性樹脂を硬化する定着器とを備えることを特徴とする樹脂シート製造装置。
【００４７】
［付記５］
前記熱可塑性樹脂は、熱可塑性トナーであることを特徴とする付記４に記載の樹脂シート製造装置。
【００４８】
［付記６］
前記定着器は、前記樹脂シートに対向する定着ローラを有し、前記定着ローラには、前記定着ローラにオイルを供給するオイル塗布部が設けられていることを特徴とする付記４または５に記載の樹脂シート製造装置。
【００４９】
［付記７］
搬送機構により搬送されるベルト上に剥離シートを供給し、前記剥離シート上に熱可塑性樹脂を転写して樹脂シートを形成し、前記樹脂シートを加熱し、前記熱可塑性樹脂を前記剥離シート上に定着することを特徴とする樹脂シート製造方法。
【００５０】
［付記８］
前記熱可塑性樹脂は、熱可塑性トナーであることを特徴とする付記７に記載の樹脂シート製造方法。
【００５１】
［付記９］
前記定着は、前記樹脂シートに対向する定着ローラを用い、前記定着ローラにオイルを供給することを特徴とする付記７または８に記載の樹脂シート製造方法。
【００５２】
［付記１０］
搬送機構により搬送されるベルト上に熱可塑性樹脂を転写して樹脂シートを形成し、前記樹脂シートを加熱し、前記熱可塑性樹脂を前記ベルト上に定着することを特徴とする樹脂シート製造方法。
【００５３】
［付記１１］
前記熱可塑性樹脂は、熱可塑性トナーであることを特徴とする付記１０に記載の樹脂シート製造方法。
【００５４】
［付記１２］
前記定着は、前記樹脂シートに対向する定着ローラを用い、前記定着ローラにオイルを供給することを特徴とする付記１０または１１に記載の樹脂シート製造方法。
【符号の説明】
【００５５】
１…樹脂シート製造装置、２０…搬送機構、２２…転写ベルト（無端ベルト）、３０（３０Ａ，３０Ｂ，３０Ｃ，３０Ｄ）…作像ユニット、３１…感光体ドラム（樹脂シート転写器）、３２…ドクターシート、３３…帯電ローラ、３４…露光ヘッド、３５…現像ローラ、３６…トナータンク、３７…転写ローラ、４０…定着器、４１，４２…定着ローラ、４３…オイル塗布ローラ、１００…商品タグ、２００…ボトル商品オーナメント、Ｓ…樹脂シート、Ｐ…剥離シート、Ｔ（Ｔ１，Ｔ２）…トナー。
【図１】
0005532096.tif 000002
【図２Ａ】
0005532096.tif 000003
【図２Ｂ】
0005532096.tif 000004
【図２Ｃ】
0005532096.tif 000005
【図２Ｄ】
0005532096.tif 000006
【図２Ｅ】
0005532096.tif 000007
【図２Ｆ】
0005532096.tif 000008
【図３Ａ】
0005532096.tif 000009
【図３Ｂ】
0005532096.tif 000010
【図４Ａ】
0005532096.tif 000011
【図４Ｂ】
0005532096.tif 000012